(57)【特許請求の範囲】
【請求項１】
両面原稿の画情報を読み取り送信するファクシミリ装置において、
原稿の両面の画像を読み取る読取手段と、
前記読取手段により読み取った原稿の両面の画情報を記憶する記憶手段と、
前記読取手段により読み取った原稿の両面に有効な画情報が含まれているか否かを判定する判定手段と、
前記判定手段の判定結果とともに前記読取手段により読み取られた画情報の表面と裏面を対にして管理する管理情報を記憶する管理情報記憶手段と、
前記管理情報記憶手段に記憶された前記判定手段の判定結果とファクシミリ手順のＤＩＳ信号で相手装置から通知された両面伝送モードの有無に応じて、少なくとも１枚、両面に有効な画情報が含まれている原稿が存在し相手側装置が両面伝送モードを有すると判定された場合は両面伝送モードを選択し、それ以外の場合は片面伝送モードを選択する選択手段と、
前記選択手段により両面伝送モードが選択された場合、ファクシミリ手順のＤＣＳ信号により両面伝送モードを実行することを相手装置へ通知して、記憶手段に記憶された画情報を前記管理情報とともに両面伝送モードで送信し、前記選択手段により片面伝送モードが選択された場合、ファクシミリ手順のＤＣＳ信号により片面伝送モードを実行することを相手装置へ通知して、前記管理情報記憶手段に記憶された前記判定手段の判定結果に基づいて有効な画情報があるページを片面伝送モードで送信する制御手段を有することを特徴とするファクシミリ装置。
【請求項２】
両面に有効な画情報が含まれている原稿が少なくとも１枚存在する場合でも、相手の受信機が両面伝送モードを有していない場合、前記制御手段は、片面伝送を実行することを相手装置へ通知して片面伝送モードを用いて表面、裏面の順で有効な画情報を含む面のみ送信することを特徴とする請求項１に記載のファクシミリ装置。
【請求項３】
原稿表面の画像のみを読み取る強制表面読取モードを指定する操作手段を有し、該操作手段により前記強制表面読取モードが選択されている場合には、前記読取手段は、原稿の裏面を読み取ることなく原稿の表面のみ読み取り、前記制御手段は、片面伝送を実行することを相手装置へ通知して、読み取った画情報を、片面伝送モードを用いて片面伝送することを特徴とする請求項１に記載のファクシミリ装置。
【請求項４】
両面原稿の画情報を読み取り送信するファクシミリ装置の制御方法において、
原稿の両面の画像を読み取る読取工程と、
前記読取工程により読み取った原稿の両面の画情報を記憶する記憶工程と、
前記読取工程により読み取った原稿の両面に有効な画情報が含まれているか否かを判定する判定工程と、
前記判定工程の判定結果とともに前記読取工程により読み取られた画情報の表面と裏面を対にして管理する管理情報を記憶する管理情報記憶工程と、
前記管理情報記憶工程に記憶された前記判定工程の判定結果とファクシミリ手順のＤＩＳ信号で相手装置から通知された両面伝送モードの有無に応じて、少なくとも１枚、両面に有効な画情報が含まれている原稿が存在し相手側装置が両面伝送モードを有すると判定された場合は両面伝送モードを選択し、それ以外の場合は片面伝送モードを選択する選択工程と、
前記選択工程により両面伝送モードが選択された場合、ファクシミリ手順のＤＣＳ信号により両面伝送モードを実行することを相手装置へ通知して、記憶工程に記憶された画情報を前記管理情報とともに両面伝送モードで送信し、前記選択工程により片面伝送モードが選択された場合、ファクシミリ手順のＤＣＳ信号により片面伝送モードを実行することを相手装置へ通知して、前記管理情報記憶手段に記憶された前記判定手段の判定結果に基づいて有効な画情報があるページを片面伝送モードで送信する制御工程を有することを特徴とするファクシミリ装置の制御方法。
【請求項５】
両面に有効な画情報が含まれている原稿が少なくとも１枚存在する場合でも、相手の受信機が両面伝送モードを有していない場合、前記制御工程は、片面伝送を実行することを相手装置へ通知して片面伝送モードを用いて表面、裏面の順で有効な画情報を含む面のみ送信することを特徴とする請求項４に記載のファクシミリ装置の制御方法。
【請求項６】
原稿表面の画像のみを読み取る強制表面読取モードを指定する操作工程を有し、該操作工程により前記強制表面読取モードが選択されている場合には、前記読取工程は、原稿の裏面を読み取ることなく原稿の表面のみ読み取り、前記制御工程は、片面伝送を実行することを相手装置へ通知して、読み取った画情報を、片面伝送モードを用いて片面伝送することを特徴とする請求項４に記載のファクシミリ装置の制御方法。
【請求項７】
両面原稿の画情報を読み取り送信するファクシミリ装置の制御プログラムを格納したコンピュータ読取可能な記憶媒体において、
原稿の両面の画像を読み取る読取工程と、
前記読取工程により読み取った原稿の両面の画情報を記憶する記憶工程と、
前記読取工程により読み取った原稿の両面に有効な画情報が含まれているか否かを判定する判定工程と、
前記判定手段の判定結果とともに前記読取工程により読み取られた画情報の表面と裏面を対にして管理する管理情報を記憶する管理情報記憶工程と、
前記管理情報記憶手段に記憶された前記判定工程の判定結果とファクシミリ手順のＤＩＳ信号で相手装置から通知された両面伝送モードの有無に応じて、少なくとも１枚、両面に有効な画情報が含まれている原稿が存在し相手側装置が両面伝送モードを有すると判定された場合は両面伝送モードを選択し、それ以外の場合は片面伝送モードを選択する選択工程と、
前記選択工程により両面伝送モードが選択された場合、ファクシミリ手順のＤＣＳ信号により両面伝送モードを実行することを相手装置へ通知して、記憶工程に記憶された画情報を前記管理情報とともに両面伝送モードで送信し、前記選択工程により片面伝送モードが選択された場合、ファクシミリ手順のＤＣＳ信号により片面伝送モードを実行することを相手装置へ通知して、前記管理情報記憶手段に記憶された前記判定手段の判定結果に基づいて有効な画情報があるページを片面伝送モードで送信する制御工程を格納したコンピュータ読取可能な記憶媒体。
【請求項８】
両面に有効な画情報が含まれている原稿が少なくとも１枚存在する場合でも、相手の受信機が両面伝送モードを有していない場合、前記制御工程は、片面伝送を実行することを相手装置へ通知して片面伝送モードを用いて表面、裏面の順で有効な画情報を含む面のみ送信することを特徴とする請求項７に記載のファクシミリ装置の制御プログラムを格納したコンピュータ読取可能な記憶媒体。
【請求項９】
原稿表面の画像のみを読み取る強制表面読取モードを指定する操作工程を有し、該操作工程により前記強制表面読取モードが選択されている場合には、前記読取工程は、原稿の裏面を読み取ることなく原稿の表面のみ読み取り、前記制御工程は、片面伝送を実行することを相手装置へ通知して、読み取った画情報を、片面伝送モードを用いて片面伝送することを特徴とする請求項４に記載のファクシミリ装置の制御プログラムを格納したコンピュータ読取可能な記憶媒体。
【発明の詳細な説明】
【０００１】
【発明の属する技術分野】
本発明は、両面情報を読み取り送信するファクシミリ装置、その制御方法、およびその制御プログラムを格納したコンピュータ読取可能な記憶媒体に関するものである。
【０００２】
【従来の技術】
ＩＴＵ−Ｔ勧告Ｔ４、あるいはＴ３０などに規定されたファクシミリ装置は、片面原稿を送信する構成が基本となっている。すなわち、送信機側の原稿も片面情報であり、受信機側においても受信した画情報は記録紙の片面に記録していた。
【０００３】
一方で、最近は省資源化に関する意識が高まっており、プリンタや複写機などにおいては、１枚の紙の表面と裏面に記録を行なういわゆる両面記録方式を有するものが増えつつある。これに伴ない、近年ではファクシミリ装置においても、両面原稿を読取り、送信するハードウェア構成および通信手順が提案されている。
【０００４】
両面画情報の伝送方式としては、原稿表面の画像、裏面の画像を各ページについて交互に送信する両面交互伝送、あるいは原稿表面の画像全部を送信し、続いて裏面の画像全部を送信する両面連続伝送などが知られている。
【０００５】
ＩＴＵ−Ｔ勧告Ｔ３０、あるいはその試案においては、両面伝送に関する通信手順が提案されており、この勧告に提案されている方式では、原稿表面あるいは裏面の１面の画情報それ自体は旧来の片面伝送の場合の１ページの画像とほぼ同様のファクシミリメッセージとして送信し、ポストメッセージ信号にページ番号や面（サイド）の情報を付加して送信する。
【０００６】
両面伝送に関する送受信機の機能は、ＤＣＳ信号やＤＩＳ信号により通知することになっており、受信機の両面記録に関する機能はＤＩＳ信号により通知される。
【０００７】
【発明が解決しようとする課題】
従来の両面伝送を行なうファクシミリ装置では、両面伝送を行なうか、片面伝送を行なうかはユーザの明示的な通信モード指定操作により決定されていた。たとえば、通信モードを恒久的に両面伝送モードにしてしまうのは現実的ではないので、デフォルトモードを片面通信モードとし、通信ごとに必要に応じて両面伝送モードを明示的な操作により設定するような構成が一般的である。
【０００８】
しかし、原稿が両面原稿であるか否かの設定操作を行なう、あるいは両面伝送モードを明示的に設定する操作を通信ごとに毎回実行しなければならないのは非常に面倒である。
【０００９】
また、片面／両面のモード設定を誤ると、ユーザの本来の意図とは異なる伝送が起きる問題がある。すなわち、原稿が両面原稿であるにもかかわらず両面伝送モードを指定するのを忘れてしまうと、片面伝送が行なわれるために本来送信されるべき裏面の情報を受信側に伝達できない、という問題を生じ、逆に片面原稿を両面伝送してしまった場合には無駄に裏面の白紙の情報を送信してしまう問題を生じる。
【００１０】
本発明の課題は上記の問題を解決し、面倒な操作を必要とせず、片面、あるいは両面伝送モードを自動的に選択することができ、無駄な通信を防止し、原稿に応じて適切に片面、あるいは両面伝送モードを選択して、ユーザの意図した画像通信を適切に実行できるようにすることにある。
【００１１】
【課題を解決するための手段】
以上の課題を解決するために、本発明においては、両面原稿の画情報を読み取り送信するファクシミリ装置、その制御方法、およびその制御プログラムを格納したコンピュータ読取可能な記憶媒体において、
原稿の両面の画像を読み取り、読み取った原稿の両面の画情報を記憶し、読み取った原稿の両面に有効な画情報が含まれているか否かを判定し、判定手段の判定結果とともに読み取られた画情報の表面と裏面を対にして管理する管理情報を記憶し、記憶されたその判定結果とファクシミリ手順のＤＩＳ信号で相手装置から通知された両面伝送モードの有無に応じて、少なくとも１枚、両面に有効な画情報が含まれている原稿が存在し相手側装置が両面伝送モードを有すると判定された場合は両面伝送モードを選択し、それ以外の場合は片面伝送モードを選択し、両面伝送モードが選択された場合、ファクシミリ手順のＤＣＳ信号により両面伝送モードを実行することを相手装置へ通知して、記憶された画情報を前記管理情報とともに両面伝送モードで送信し、片面伝送モードが選択された場合、ファクシミリ手順のＤＣＳ信号により片面伝送モードを実行することを相手装置へ通知して、前記管理情報記憶手段に記憶された前記判定手段の判定結果に基づいて有効な画情報があるページを片面伝送モードで画情報を送信する制御を行なう構成を採用した。
【００１２】
あるいはさらに、両面に有効な画情報が含まれている原稿が少なくとも１枚存在する場合でも、相手の受信機が両面伝送モードを有していない場合は、片面伝送手順を用いて表面、裏面の順で有効な画情報を含む面のみ送信する構成を採用した。
【００１３】
あるいはさらに、原稿表面の画像のみを読み取る強制表面読取モードが選択されている場合には、両面に有効な画情報が含まれている原稿が少なくとも１枚存在する場合でも原稿の表面のみ読み取り、読み取った画情報を片面伝送する構成を採用した。
【００１４】
【発明の実施の形態】
以下、図面に示す実施形態に基づいて本発明を詳細に説明する。
【００１５】
図１は、本発明を採用したファクシミリ装置のハードウェア構成を示している。図１において符号２は、ＮＣＵ（網制御装置）で、電話網をデータ通信等に使用するためにその回線の端末に接続し、電話交換網の接続制御を行なったり、データ通信路への切り替えを行なったり、ループの保持を行なうものである。ＮＣＵ２は、バス２６からの制御に応じて電話回線２ａを電話機４側に接続する（ＣＭＬオフ）か、電話回線２ａをファクシミリ装置側に接続する（ＣＭＬオン）。通常状態では、電話回線２ａは電話機４側に接続されている。
【００１６】
符号６は、ハイブリッド回路で、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で、変復調器８に送る。
【００１７】
符号８は、ＩＴＵ−Ｔ勧告Ｖ．８，Ｖ．２１，Ｖ．２７ｔｅｒ，Ｖ．２９，Ｖ．１７，Ｖ．３４に基づいた変調及び復調を行なう変復調器であり、バス２６の制御により、各伝送モードが指定される。変復調器８はバス２６からの送信信号を入力し変調データを信号線８ａに出力し、信号線６ａに出力されている受信信号を入力し、復調データをバス２６に出力する。
【００１８】
符号１０は、発呼回路であり、バス２６からの制御に応じて電話番号情報を入力し、信号線１０ａにＤＴＭＦの選択信号を出力する。
【００１９】
符号１２は、送信信号を加算する加算回路であり、信号線８ａの情報と信号線１０ａの情報を入力し、加算した結果を信号線１２ａに出力する。
【００２０】
符号１４、１６は画像読取および記録系を示すが、これらの回路は両面伝送に対応するために、原稿の表裏両面の読取り、および記録紙の表裏両面への記録を行なえるようになっている。
【００２１】
すなわち、符号１４は原稿搬送系、光学読み取り素子などから成る読取回路であり、原稿から読取った画像データをバス２６に出力する。読取回路１４は内蔵された原稿反転機構により原稿を反転することなどにより原稿裏面の画情報を読み取ることができるものとする。
【００２２】
本実施形態においては、原稿裏面に関してはその全てを読み取り、後述のように、有効情報が含まれているか否かを判断することにより送信の制御を変更する。
【００２３】
また、符号１６は、電子写真方式、インクジェット方式など所定の記録方式による記録回路であり、バス２６に出力されている情報を順次１ライン毎に記録する。記録回路１６が記録紙の表面ないし裏面のいずれに記録を行なうかはバス２６を介して制御することができるものとする。
【００２４】
符号１８はメモリ回路であり、ＲＯＭ、ＲＡＭ、あるいはハードディスクなどの任意の記憶装置から構成され、種々のデータの記憶に用いられる。たとえばメモリ回路１８は、フラグやカウンタを割り付けるため、ワーク用のメモリとして、あるいは読取りデータの生情報あるいは符号化した情報を格納したり、また受信情報あるいは復号化した情報等を格納するために用いられる。
【００２５】
また、メモリ回路１８には、強制表面読取を行なうか否かを登録するための記憶領域が設けられており、操作部２０の所定の操作により、強制表面読取を行なうか否かを設定登録できるようになっている。
【００２６】
符号２０は、操作部であり、そのキーボードにはワンタッチダイヤル、短縮ダイヤル、テンキー、＊キー、＃キー、セットキー、スタートキー、ストップキー、その他ファンクションキーが設けられ、これらのキーの操作情報は、バス２６を介してＣＰＵ２２に出力される。また、操作部２０にはＬＣＤパネルなどから構成された表示部が設けられており、バス２６に出力されている情報を入力し表示する。
【００２７】
符号２２は、ＣＰＵ（中央処理装置）であり、本ファクシミリ装置全体の制御、および、ファクシミリ伝送制御手順を実行する。本発明の制御手順はＣＰＵ２２の制御プログラムとしてＲＯＭ２４に格納される。
【００２８】
ここで、図２〜図７を参照して両面原稿を両面伝送するための通信手順の概略につき説明する。ここでは、現在提案されているＩＴＵ−Ｔ勧告Ｔ３０の試案に記載されている一般的な両面伝送を示す。
【００２９】
両面伝送の通信モードとしては、交互モード（両面交互伝送モード）と連続モード（両面連続伝送モード）の２つが存在する。前者は１ページ目の表面、裏面、２ページ目の表面、裏面…と原稿１枚づつその表面、裏面を交互に伝送するモードである。また、後者は１ページ目の表面、２ページ目の表面…とまず原稿の表面のみページ順に全部伝送し、しかる後に１ページ目の裏面、２ページ目の裏面…と原稿の裏面をページ順に全部伝送するモードである。ファクシミリ装置は、製品の仕様や動作モードに応じていずれかのモードを使用することができる。
【００３０】
次に、図２に、ＤＩＳ（デジタル識別：画像受信局から送信される）、ＤＴＣ（デジタル送信命令：画像送信局から送信される）、およびＤＣＳ（デジタル命令：画像送信局から送信される）の各信号のＦＩＦ（ファクシミリ情報フィールド）における両面伝送を指定する情報の構成を表形式で示す。
【００３１】
図２に示すように、ＤＩＳ／ＤＴＣ信号では、ＦＩＦのｘビット目（このビット数は正式に決定されておらず便宜上「ｘ」により示す）により、交互モードでの両面記録機能の有無を表し、ＦＩＦのｘ＋１ビット目により、連続モードでの両面記録機能の有無を表す。また、ＤＣＳ信号においては、ＦＩＦのｘビット目により、交互モードでの両面送信を指定し、ＦＩＦのｘ＋１ビット目により、連続モードでの両面送信を指定する。
【００３２】
また、両面受信／片面受信に拘らず、送受信可能な解像度の情報はＤＣＳ／ＤＩＳ信号により交換することができる。図２では不図示であるが、送受信可能な解像度の情報はたとえばＤＣＳ／ＤＩＳ信号のビット１７およびビット３３以降が用いられる。
【００３３】
図３は、ノーマルＧ３伝送でのＱ信号（具体的にはＥＯＰ（ページ終了）あるいは、ＭＰＳ（マルチページ）、あるいはＥＯＭ（メッセージ終了）信号など）、また、ＥＣＭ（エラー訂正モード）伝送でのＰＰＳ−Ｑ信号（具体的には、ＰＰＳ−ＥＯＰ、あるいは、ＰＰＳ−ＭＰＳ、あるいはＰＰＳ−ＥＯＭ、あるいはＰＰＳ−ＮＵＬＬなどのポストメッセージ信号）のフレーム構成を示している。
【００３４】
図３のように、これらのポストメッセージ信号では、Ｆｌａｇ（フラグ）、Ａｄｄｒｅｓｓ（アドレス）、Ｃｏｎｔｒｏｌ（制御データ）、ＦＣＦ（ファクシミリ制御フィールド）に続き、ファクシミリ情報が送信される。ファクシミリ情報の先頭では、ＥＣＭの場合のみＰＣ（ページカウンタ）、ＢＣ（ブロックカウンタ）、ＦＣ（フレームカウンタ）の３つのフィールドが送信され、その後に両面伝送関係のファクシミリ情報が続く。両面伝送関係のファクシミリ情報は、Ｌｅｎｇｔｈ（レングス：当該ページのデータサイズ（オクテット数単位）でこのフィールドのデータ幅は１オクテット）、Ｐａｇｅ  ｎｕｍｂｅｒ（ページナンバー：２オクテット）、Ｐａｇｅ  ｉｎｆｏｒｍａｔｉｏｎ（ページ情報）が続き、その後にＦＣＳ（フレームチェックシーケンス）、Ｆｌａｇ（フラグ）が続く。
【００３５】
上記のうち、Ｐａｇｅ  ｎｕｍｂｅｒ（ページナンバー）は、規約上、両面原稿をページ順に表面、裏面と送信する際、表、裏の各面ごとにＰ１からの１ページずつ加算されることになっている。また、Ｐａｇｅ  ｉｎｆｏｒｍａｔｉｏｎ（ページ情報）は、データ幅１オクテットで、その面の画情報が表であるか裏であるかを示し、ｂｉｔ０により表面（０）か裏面（１）を表現する。当面、ビット１〜６は予約ビットで機能は定義されておらず、ビット７は拡張ビットとして常時０にセットされる。
【００３６】
上記のポストメッセージ信号のファクシミリ情報のうち、Ｌｅｎｇｔｈ、Ｐａｇｅ  ｎｕｍｂｅｒ、Ｐａｇｅ  ｉｎｆｏｒｍａｔｉｏｎの３つが、両面伝送のために新たに追加となったフィールドである。
【００３７】
図４は、ノーマルＧ３モードにおける交互モードでの両面伝送の様子を、図５はＥＣＭ通信モードにおける交互モードでの両面伝送の様子を、図６はノーマルＧ３モードにおける連続モードでの両面伝送の様子を、図７はＥＣＭ通信モードにおける連続モードでの両面伝送の様子を示している。
【００３８】
図４〜図７のように、ＤＩＳ信号のｘおよびｘ＋１ビットにより受信機の両面伝送機能（交互および連続のいずれも可）が示され、ＤＣＳ信号のｘおよびｘ＋１ビットにより、送信機がこれから実行しようとする両面伝送モードが宣言される。図６、図７の連続モードでは、ＤＣＳ信号のｘ＋１ビットを１とすることにより連続モードでの送信を行なうことが宣言されている。
【００３９】
また、図４、図６に示すように、ノーマルモードの場合はポストメッセージ信号としてＭＰＳ信号が、また、図５、図７に示すように、ＥＣＭの場合はポストメッセージ信号としてＰＰＳ−ＭＰＳ信号が用いられている。
【００４０】
ここでは３枚の両面原稿が送信されており、各図中の「ＰＮ」は上記のＰａｇｅ  Ｎｕｍｂｅｒを示している。
【００４１】
たとえば、図４（交互モード）に符号４１で示したＭＰＳ信号は、「ＭＰＳ（ＰＮ＝１，０（ｆｒｏｎｔ  ｓｉｄｅ））」と図示されているが、これは、ページ番号１（ＰＮ＝１）、表面（０（ｆｒｏｎｔ  ｓｉｄｅ））の画情報を送信したことを示している（図４以降のＭＰＳあるいはＰＰＳ−ＭＰＳ信号の表記は上記と同趣である）。
【００４２】
すなわち、図４および図５の交互モードでは、１枚目（ＰＮ＝１）の表（０）、１枚目（ＰＮ＝２）の裏（１）、２枚目（ＰＮ＝３）の表（０）、２枚目（ＰＮ＝４）の裏（１）、３枚目（ＰＮ＝５）の表（０）、３枚目（ＰＮ＝６）の裏（１）の順で原稿の画情報が送信されている。
【００４３】
また、図６および図７の連続モードでは、１枚目（ＰＮ＝１）の表（０）、２枚目（ＰＮ＝３）の表（０）、３枚目（ＰＮ＝５）の表（０）、１枚目（ＰＮ＝２）の裏（１）、２枚目（ＰＮ＝４）の裏（１）、３枚目（ＰＮ＝６）の裏（１）の順で原稿の画情報が送信されている。
【００４４】
以上が一般的な両面伝送手順であるが、本発明においては、原稿情報の表面および原稿情報の裏面を読み取り、原稿両面の画像の状態、特に裏面に有効な画像が存在するか否かに応じて、送信原稿情報の中に１ページでも両面原稿情報があれば両面伝送を実行し、一方、送信原稿の表面のみにしか画像が存在しない場合は両面伝送を実行せず、片面伝送を行なう。また、強制表面読取モードの選択状態に応じ、強制表面読取モードが選択されていれば裏面に情報があっても両面伝送を実行せず、片面伝送を行なう。
【００４５】
図８〜１１に上記の通信制御の流れをフローチャート図として示す。図８〜１１の同一番号の個所はそれぞれの位置で連続しているものとする。
【００４６】
図８において、ステップＳ０は所定のリセット操作などにより開始される処理の始めを示している。
【００４７】
ステップＳ２は、バス２６を介してメモリ回路１８をイニシャライズし、ステップＳ４では、バス２６を介して、操作部の表示部をクリアする。
【００４８】
ステップＳ６では、バス２６を介して、ＮＣＵ２のＣＭＬをオフとし、回線２ａを電話機４側に接続する。
【００４９】
ステップＳ８では、バス２６を介して操作部２０の情報を入力し、ファクシミリ送信が選択されたか否かを判断し、ファクシミリ送信が選択されるとステップＳ１２に進み、ファクシミリ送信が選択されていなければ、ステップＳ１０に進み、その他の処理（原稿のコピーなど）を実行する。
【００５０】
ステップＳ１２では、読取り物理ページカウンタに１をセットし、ステップＳ１４では面に表面をセットする。この読取り物理ページカウンタはメモリ回路１８の所定領域などに割り付けられるものとする。
【００５１】
ステップＳ１６では、読取回路１４により画像読取を行なう。原稿の両面の画像を読み取り、メモリ回路１８の所定領域などに割り付けられた画像メモリに記憶させるとともに、このときの読取り物理ページカウンタおよび、表面の画像か裏面の画像かを示す面情報を管理情報エリアに画像データと関連づけて記憶する。
【００５２】
また、ステップＳ１６では、原稿のその読取面における有効画情報の有無も合わせて管理情報エリアに記憶する。有効な画情報の検出は、たとえばその面が全白状態（あるいは黒ドットの占有比率が所定のパーセンテージ以下、など）である場合には有効な画情報無し、と判定するような方法により行なうことができる。この方法は最も簡単な方法であるが、さらに有効な画情報を検出するために適当な検出条件を追加して、より厳密な判定を行なってもよい。
【００５３】
ステップＳ１８では、現在処理中の原稿面は表面であるか否かを判断し、ステップＳ１８が肯定された場合にはステップＳ２０に進み、否定された場合には図９のステップＳ２４に進む。現在処理中の原稿面の判定はメモリ回路１８の所定領域などに割り付けられた面フラグにより行なう。
【００５４】
ステップＳ２０では、バス２６を介して、操作部２０の情報を入力し、強制表面読取モードが選択されているか否かを判断する。強制表面読取モードが選択されている場合にはステップＳ２４に進む。また、強制表面読取モードが選択されていなければステップＳ２２に進み、面フラグに裏面をセットする。
【００５５】
なお、強制表面読取モードの選択状態の判定は、最初の１回目の画像読取ループ（後述のステップＳ２６まで）のみ操作部より設定状態を読み込んで記憶するが、２回目以降の画像読取ループではメモリ回路１８の所定領域に記憶された選択状態を示す情報により判定するものとする。また、後述のステップＳ３２の判定でもメモリ回路１８の所定領域に記憶された選択状態を示す情報により強制表面読取モードの選択状態を判定するものとする。
【００５６】
すなわち、本実施形態では、強制表面読取モードは、送信１回ごとにその送信のモードとしてユーザにより設定されるべきものであるが、もちろん、半恒久的に（次回設定登録が行なわれるまで）メモリ回路１８の所定領域に登録可能とする（送信１回ごとに選択しなくてもよいようにする）ような仕様も考えられる。
【００５７】
図９のステップＳ２４では、読み取るべき次ページがあるか否かが判断され、読み取るべき次ページがあれば、ステップＳ２６に進み、読み取り物理ページカウンタの値を１つインクリメントし、次ページがないとステップＳ２８に進む。
【００５８】
ステップＳ２８では、バス２６を介して、ＮＣＵ２のＣＭＬをオンとし、回線２ａをファクシミリ装置側に接続する。
【００５９】
ステップＳ３０では、バス２６を介して、発呼回路１０を使用して、指定された宛先を発呼する。
【００６０】
ステップＳ３２では、ステップＳ２０での判定時に記憶した情報に基づいて、強制表面読取モードが選択されているか否かを判断し、強制表面読取モードが選択されている場合はステップＳ３４に進み、強制表面読取モードが選択されていなければ図１０のステップＳ４０に進む。
【００６１】
ステップＳ３４では、ファクシミリ前手順を実行する。ここで、ＤＣＳ信号のＦＩＦのｘビット、ｘ＋１ビットをともに０として両面伝送は指定しない。
【００６２】
ステップＳ３６は、読取り物理ページカウンタの順にメモリ回路１８の画像メモリ領域に記憶された表面情報のみを送信し、ステップＳ３８でファクシミリ後手順を実行した後、図８のステップＳ６に復帰する。
【００６３】
ステップＳ３２で強制表面読取モードでなかった場合、図１０のステップＳ４０において、ステップＳ１６で管理情報エリアに記憶した各管理情報に基づき、送信原稿の中に１ページでも両面情報があるか否かを判断する。もちろん、両面情報があるか否かの判定は、当該原稿の裏面に有効な画情報が存在するか否かを調べることにより行なう。送信原稿の中に１ページでも両面情報がある場合はステップＳ４２に進み、送信原稿の中に１ページも両面情報が存在しない場合はステップＳ３４に進む。
【００６４】
ステップＳ４２ではファクシミリ前手順を実行し、ステップＳ４４では、受信機から送信されたＤＩＳ信号のＦＩＦのｘビットは１であるか、すなわち交互モードでの両面受信機能があるか否かを判断する。受信機が両面受信機能を有している場合には、ステップＳ４６に進み、受信機が両面受信機能を有していない場合には、図１１のステップＳ５２に進む。
【００６５】
ステップＳ４６は残りのファクシミリ前手順を実行する。ここでは、受信機に送信するＤＣＳ信号のＦＩＦのｘビットを１、ｘ＋１ビットを０として交互モードでの両面伝送を指定する。
【００６６】
ステップＳ４８は、読取り物理ページカウンタの順に、表面、裏面とすべての情報を送信し、ステップＳ５０においてファクシミリ後手順を実行した後、図８のステップＳ６に復帰する。
【００６７】
一方、ステップＳ４４で受信機が両面受信機能を有していない場合は、図１１のステップＳ５２において、残りのファクシミリ前手順を実行する。ここでは、受信機に送信するＤＣＳ信号のＦＩＦのｘビットおよびｘ＋１ビットはともに０として、両面伝送は指定しない。
【００６８】
ステップＳ５４では、読取り物理ページカウンタの順に、表面、裏面の順で有効な画情報を含む面のみ送信する。ステップＳ５６ではファクシミリ後手順を実行し、図８のステップＳ６に復帰する。ここで送信された表裏面の画像情報は受信機において片面情報として順次記録される。
【００６９】
以上のように、本実施形態によれば、少なくとも１枚、両面に有効な画情報が含まれている原稿が存在する場合は原稿の両面から読み取った画情報の両面伝送を実行し、それ以外の場合は原稿の表面から読み取った画情報の片面伝送を実行する構成を採用しているので、ユーザーは両面原稿であるか、片面原稿であるかを気にする必要がなく、面倒な両面／片面伝送モード設定を必要とせず、原稿をセットして送信操作を行なうだけで、確実に適切な両面伝送または片面伝送モードを自動的に選択して送信でき、送信の失敗を防止できる、という優れた効果がある。
【００７０】
もちろん、従来のように、片面／両面伝送モードを指定するのを忘れ片面伝送が行なわれるために本来送信されるべき裏面の情報を受信側に伝達できなくなったり、逆に片面原稿を両面伝送し、無駄に裏面の白紙の情報を送信してしまうなどの問題を生じることはない。
【００７１】
また、強制表面読取モードが選択されている場合には、両面に有効な画情報が含まれている原稿が少なくとも１枚存在する場合でも原稿の表面のみ読み取り、読み取った画情報を片面伝送するようにしているので、両面伝送を行なえない受信機とも問題なく通信できる。
【００７２】
また、原稿裏面に有効画像が含まれているが、表面のみ送信すれば足りるような場合を考慮し、強制表面読取モードを選択できるようにしてあるので、原稿の両面に画像が含まれているが、表面のみ送信すれば足りる場合において、強制表面読取モードを利用して必要な原稿面の画情報のみを片面送信することができる、という優れた効果がある。
【００７３】
以上では、ファクシミリ専用機の構成を示したが、本発明はファクシミリ専用機のみならず、他の形態のファクシミリ装置に実施できるのはいうまでもない。たとえば、本発明は、パーソナルコンピュータのような汎用の端末にＦＡＸモデムなどを外付け／内蔵し、ソフトウェア制御によりファクシミリ通信を行なう構成においても実施することができる。その場合、本発明の制御プログラムは、前述のＲＯＭ２４のみならず、ハードディスク、フロッピーディスク、光ディスク、光磁気ディスクやメモリカードなどのあらゆるコンピュータ読み取り可能な記録媒体に格納して供給することができる。
【００７４】
【発明の効果】
以上説明したように、本発明によれば、両面情報を読み取り送信するファクシミリ装置、その制御方法、およびその制御プログラムを格納したコンピュータ読取可能な記憶媒体において、原稿の両面の画像を読み取り、読み取った原稿の両面の画情報を記憶し、読み取った原稿の両面に有効な画情報が含まれているか否かを判定し、判定手段の判定結果とともに読み取られた画情報の表面と裏面を対にして管理する管理情報を記憶し、記憶されたその判定結果とファクシミリ手順のＤＩＳ信号で相手装置から通知された両面伝送モードの有無に応じて、少なくとも１枚、両面に有効な画情報が含まれている原稿が存在し相手側装置が両面伝送モードを有すると判定された場合は両面伝送モードを選択し、それ以外の場合は片面伝送モードを選択し、両面伝送モードが選択された場合、ファクシミリ手順のＤＣＳ信号により両面伝送モードを実行することを相手装置へ通知して、記憶された画情報を前記管理情報とともに両面伝送モードで送信し、片面伝送モードが選択された場合、ファクシミリ手順のＤＣＳ信号により片面伝送モードを実行することを相手装置へ通知して、前記管理情報記憶手段に記憶された前記判定手段の判定結果に基づいて有効な画情報があるページを片面伝送モードで画情報を送信する制御を行なう構成を採用しているので、ユーザは両面原稿であるか、片面原稿であるかを気にする必要がなく、面倒な両面／片面伝送モード設定を必要とせず、原稿をセットして送信操作を行なうだけで、確実に適切な両面伝送または片面伝送モードを自動的に選択して送信でき、送信の失敗を防止し、ユーザの意図した画像通信を適切に実行できる、という優れた効果がある。
【００７５】
あるいはさらに、両面に有効な画情報が含まれている原稿が少なくとも１枚存在する場合でも、相手の受信機が両面伝送モードを有していない場合は、片面伝送手順を用いて表面、裏面の順で有効な画情報を含む面のみ送信する構成を採用することにより、両面伝送を行なえない受信機とも問題なく通信できる、という優れた効果がある。
【００７６】
あるいはさらに、原稿表面の画像のみを読み取る強制表面読取モードを選択可能とし、強制表面読取モードが選択されている場合には、両面に有効な画情報が含まれている原稿が少なくとも１枚存在する場合でも原稿の表面のみ読み取り、読み取った画情報を片面伝送する構成を採用すれば、原稿の両面に画像が含まれているが、表面のみ送信すれば足りる場合において、強制表面読取モードを利用して必要な原稿面の画情報のみを片面送信することができる、という優れた効果がある。
【図面の簡単な説明】
【図１】本発明を採用したファクシミリ装置のハードウェア構成を示したブロック図である。
【図２】両面伝送で用いられるＤＩＳ／ＤＴＣおよびＤＣＳ信号のＦＩＦを示した表図である。
【図３】両面伝送で用いられるポストメッセージ信号のフォーマットを示した説明図である。
【図４】非ＥＣＭ通信モードにおける交互モードでの両面伝送の様子を示した説明図である。
【図５】ＥＣＭ通信モードにおける交互モードでの両面伝送の様子を示した説明図である。
【図６】非ＥＣＭ通信モードにおける連続モードでの両面伝送の様子を示した説明図である。
【図７】ＥＣＭ通信モードにおける連続モードでの両面伝送の様子を示した説明図である。
【図８】図１のＣＰＵ２２の通信制御を示したフローチャート図である。
【図９】図１のＣＰＵ２２の通信制御を示したフローチャート図である。
【図１０】図１のＣＰＵ２２の通信制御を示したフローチャート図である。
【図１１】図１のＣＰＵ２２の通信制御を示したフローチャート図である。
【符号の説明】
２  ＮＣＵ
４  電話機
６  ハイブリッド回路
８  変復調器
１０  発呼回路
１２  加算回路
１４  読取回路
１６  記録回路
１８  メモリ
２０  操作部
２２  ＣＰＵ
２４  ＲＯＭ
２６  バス
【図１】
0004378031.tif 000002
【図２】
0004378031.tif 000003
【図３】
0004378031.tif 000004
【図４】
0004378031.tif 000005
【図５】
0004378031.tif 000006
【図６】
0004378031.tif 000007
【図７】
0004378031.tif 000008
【図８】
0004378031.tif 000009
【図９】
0004378031.tif 000010
【図１０】
0004378031.tif 000011
【図１１】
0004378031.tif 000012